(57)【要約】【課題】空気調和機の量産時のリアクトル取り付け作業性を容易としつつ、防振、防音性能を備えた空気調和機のリアクトルを実現すること。【解決手段】室内外の熱交換を行う送風機と熱交換器と、熱交換器に冷媒を循環させる圧縮機と、圧縮機を駆動する永久磁石同期モータと、永久磁石同期モータを駆動するインバータと、インバータに直流電力を供給するコンバータと、コンバータを構成する整流素子と平滑コンデンサとスイッチング素子とリアクトルと、該コンバータと該インバータを制御する制御手段を有する電気品と、それらで構成された空気調和機の室外機と、該室外機の筐体に接続された空気調和機のリアクトルにおいて、該リアクトルの振動が室外機の筐体に直接、伝播されないよう該リアクトルの取付板に防振材を備え、該リアクトルの室外機の筐体への取り付けを簡素化する。【選択図】  図１
2013088071.tif 000002
【特許請求の範囲】
【請求項１】
室内外の熱交換を行う送風機と熱交換器と、熱交換器に冷媒を循環させる圧縮機と、前記圧縮機を駆動する永久磁石同期モータと、前記永久磁石同期モータを駆動するインバータと、前記インバータに直流電力を供給するコンバータと、前記コンバータを構成する整流素子と平滑コンデンサとスイッチング素子とリアクトルと、前記コンバータと前記インバータを制御する制御手段とを有する電気品と、を備えた空気調和機の室外機の筐体に接続された空気調和機のリアクトルであって、
前記リアクトルの振動が前記室外機の筐体に直接伝播されないよう、前記リアクトルの取付板に防振材を備え、前記リアクトルの前記室外機の筐体への取り付けを簡素化したことを特徴とする空気調和機のリアクトル。
【請求項２】
請求項１記載の空気調和機のリアクトルにおいて、前記防振材は耐熱性に優れたシリコンゴムを用いることを特徴とする空気調和機のリアクトル。
【請求項３】
請求項１記載の空気調和機のリアクトルにおいて、前記防振材を備える前記リアクトルの取付板と、前記防振材について抜け防止構造を施したことを特徴とする空気調和機のリアクトル。
【請求項４】
請求項１記載の空気調和機のリアクトルにおいて、前記取付板の一方にエッジ部を覆う袋状の防振材を配置し、もう一方は角の２箇所を円状の穴を一部切欠き円筒状の防振材を配置することで、前記室外機の筐体への前記リアクトルの設置を容易としたことを特徴とする空気調和機のリアクトル。
【発明の詳細な説明】
【技術分野】
【０００１】
本発明は、リアクトルを備える空気調和機の室外機に関する。
【背景技術】
【０００２】
本技術分野の背景技術として、特開２００５−１０６４４２号公報（特許文献１）がある。この公報には、「リアクタを、少なくとも２方向に開口部を有し内面に低透磁性材料を施したリアクタカバーで覆ったもので、リアクタに電流が流れることで発生する電磁波が筐体外部へ漏れることを抑制するとともに、リアクタで発生する熱が開口部を通過する空気で放熱させる事ができる」と記載されている。
【０００３】
また、特開２００３−３３６８６１号公報（特許文献２）がある。この公報には、「コイル等のリアクタンス素子が防振ゴム製の台座を介してシャーシに取り付けられ、リアクタンス素子に生じる電磁振動がシャーシに伝達され難くなり、リアクタンス素子が振動してもシャーシが振動しなくなるので、異音の発生を防止することができる」と記載されている。
【０００４】
また、特開２００２−２６７２１０号公報（特許文献３）がある。この公報には、「運転によりリアクタが振動しても、弾性体が振動を吸収することで、騒音の発生を抑えることができる。」と記載されている。
【０００５】
ここで空気調和機にリアクトルを用いる主たる理由について以下、補足説明する。空気調和機には性能に優位であること、回転数制御が容易であることから直流モータが広く用いられている。直流モータを駆動するには三相交流電力を供給するインバータと、インバータに直流電力を供給するコンバータが必須となる。商用電源から直流電力を生成するコンバータには様々な方式があり、その方式を大別すると、パッシブ方式とアクティブ方式に分類される。
【０００６】
パッシブ方式のコンバータは安価なコンデンサインプット型整流方式に始まり、コンデンサインプット電流のピーク値の低減と、電流の位相を遅らせ通流率を広げることで、高調波電流の低減や力率の改善を行う、リアクトルを直列に接続する方法があり、広く多くの電子製品に用いられている。
【０００７】
一方で、回転数範囲が広範囲となる空気調和機では、パッシブ方式のコンバータでは高調波電流の抑制や力率の改善には限界があり、それに変わるアクティブ方式のコンバータが広く用いられている。アクティブ方式のコンバータとは商用電源に直列に接続されたリアクトルと、そのリアクトルの経路に接続された整流素子４つをブリッジ構成した第１の整流回路と、第１の整流回路に並列に接続されるスイッチング素子と、商用電源電圧を整流する第２の整流回路と、第２の整流回路に並列に接続される平滑コンデンサから構成され、パッシブ方式のコンバータではコンデンサインプット電流しか通電できない短い通流区間を、商用電源とリアクトルと第１の整流回路とスイッチング素子で短絡させることで商用電源電流の通流率を上げ、高調波電流の抑制や力率の改善を行うと共に、リアクトルに蓄積したエネルギーにより直流電圧の昇圧を行うことを可能としている。
【０００８】
このように空気調和機のリアクトルはコンバータ回路に用いられ、商用電源の力率改善と高調波電流の抑制、および直流電圧の昇圧に寄与している。
【先行技術文献】
【特許文献】
【０００９】
【特許文献１】特開２００５−１０６４４２号公報
【特許文献２】特開２００３−３３６８６１号公報
【特許文献３】特開２００２−２６７２１０号公報
【発明の概要】
【発明が解決しようとする課題】
【００１０】
上述したように、空気調和機のリアクトルはコンバータ回路に用いられ、商用電源の力率改善と高調波電流の抑制、および直流電圧の昇圧に寄与する一方、特にアクティブ方式のコンバータに用いられる場合において、商用電源の間を整流素子とリアクトルを通して短絡、開放動作を行うコンバータの短絡と開放電流に誘起される電磁エネルギーによるリアクトルの振動が室外機の筐体に伝播されることによる振動と、その振動による騒音の増大が大きな問題となる。
【００１１】
特許文献１では、リアクタを、少なくとも２方向に開口部を有し内面に低透磁性材料を施したリアクタカバーで覆ったもので、リアクタに電流が流れることで発生する電磁波が筐体外部へ漏れることを抑制する対応を行っているが、リアクタカバーを伝播して室外機の筐体へと振動が伝わることへの防振にはなっておらず、室外機の筐体の振動による騒音の増加に対する解決策にはならない。
【００１２】
また、特許文献２では、コイル等のリアクタンス素子が防振ゴム製の台座を介してシャーシに取り付けられ、リアクタンス素子に生じる電磁振動がシャーシに伝達され難くなり、リアクタンス素子が振動してもシャーシが振動しなくなるので、異音の発生を防止する対応を行っている。リアクトルの振動を室外機の筐体へ伝搬させない効果が期待できる反面、重量のあるリアクトルを防振ゴム製の台座を介してシャーシに取り付けるため、台座の剛性への不安と、防振ゴム製の台座がリアクタと別体となっているため、取り付け作業性が悪い。
【００１３】
また、特許文献３では、運転によりリアクタが振動しても、弾性体が振動を吸収することで、騒音の発生を抑えることができる対応を行っている。これも特許文献２と基本的な考え方は同じで、リアクトルと、リアクトルが設置される間に弾性体を挟みこみことでリアクトルの振動を室外機の筐体へ伝搬させない効果が期待できるが、リアクトルまたは室外機の筐体の４つの穴に対して弾性体を差し込む必要があり、取り付け作業性が悪い。また、弾性体でナットを構成していることや、弾性体を室外機の筐体に差し込むだけの状態であることから、剛性に不安がある。
【００１４】
上述したように、先行技術文献に共通の課題は空気調和機の量産時のリアクトル取り付け作業性を容易としつつ、防振、防音性能を備えた空気調和機のリアクトルを実現することである。
【課題を解決するための手段】
【００１５】
上記課題を解決するために、例えば特許請求の範囲に記載の構成を採用する。
【００１６】
本願は上記課題を解決する手段を複数含んでいるが、その一例を挙げるならば、「室内外の熱交換を行う送風機と熱交換器と、熱交換器に冷媒を循環させる圧縮機と、圧縮機を駆動する永久磁石同期モータと、永久磁石同期モータを駆動するインバータと、インバータに直流電力を供給するコンバータと、コンバータを構成する整流素子と平滑コンデンサとスイッチング素子とリアクトルと、該コンバータと該インバータを制御する制御手段を有する電気品と、それらで構成された空気調和機の室外機と、該室外機の筐体に接続された空気調和機のリアクトルにおいて、該リアクトルの振動が室外機の筐体に直接、伝播されないよう該リアクトルの取付板に防振材を備え、該リアクトルの室外機の筐体への取り付けを簡素化したこと」を特徴とする。
【発明の効果】
【００１７】
本発明によれば、該リアクトルの振動が室外機の筐体に直接、伝播されないよう該リクトルの取付板に防振材を備えたことで防振と防音性能を確保しつつ、室外機の筐体への取り付け作業性の簡素化が可能となる。
【図面の簡単な説明】
【００１８】
【図１】防振材を備えたリアクトルの三面図。
【図２】防振材を未装備のリアクトルの三面図。
【図３】防振材Ａ，Ｂの形状図。
【図４】防振材を備えたリアクトルの空気調和機への搭載例。
【図５】防振材を備えたリアクトルの空気調和機への搭載例の拡大図。
【図６】特許文献１の代表図。
【図７】特許文献２の代表図。
【図８】特許文献３の代表図。
【図９】防振材を備えたリアクトルの斜視図。
【発明を実施するための形態】
【００１９】
以下、実施例を図面を用いて説明する。
【実施例１】
【００２０】
本実施例では、防振材を備えたリアクトルについて説明する。  
図１は、防振材を備えたリアクトルの三面図である。
【００２１】
１は珪素鋼板を積層したコア、２は銅やアルミ線材を巻いたコイル、３は配線接続用のタブ、４は取付板、５は円筒状の防振材、６は袋状の防振材である。正面図はリアクトルを取付板４の底面から見た図となっており、取付板４の一方にエッジ部を覆う袋状の防振材６を配置し、もう一方は角の２箇所には円筒状の防振材５を配置している。この円筒状の防振材５と袋状の防振材６がリアクトルを室外機の筐体への取り付けた際、取付版と室外機の筐体に挟まれることで、リアクトルの振動が室外機の筐体に直接、伝播されないようにでき、また、上述の通り防振材をリアクトルの取付板４に直接配置しているため、室外機の筐体への取り付け作業性も容易となる。
【００２２】
ここで、取付板４に直接配置し防振材の抜け防止構造について、取付板４と円筒状の防振材５、袋状の防振材６の形状を図２，図３，図４で説明する。
【００２３】
図２は防振材を未装備のリアクトルの三面図であり、正面図はリアクトルを取付板４の底面から見た図となっている。
【００２４】
まず、円筒状の防振材５を配置される取付板４は、角の２箇所に円状の穴を一部切欠きした形状で、円筒状の防振材５の外径に対して取付板４の角の２箇所に円状の穴の内径がほぼ等しい関係であれば、円筒状の防振材５が取付板４から外れることが防止できる。
【００２５】
また、取付板４の角の２箇所に円状の穴の一部切欠きの向きについても、リアクトルを室外機の筐体への取り付けた際に、円筒状の防振材５が抜けにくい向きとしているが、この詳細については実施例２で説明する。
【００２６】
次に袋状の防振材６が配置される取付板４は角の２箇所を鍵状しており、袋状の防振材６を取付板４から外れることが防止できる。
【００２７】
図３は円筒状の防振材５を示しており、筒状の円柱の両端に円盤がついたような形状をしている。この円盤がリアクトルを固定するビスと室外機の筐体がリアクトルに直接、接触しないようにする役目を果たしている。
【００２８】
図４は袋状の防振材６を示している。防振材６が袋状であり、リアクトルを室外機の筐体に固定する場合でも、リアクトルが室外機の筐体に直接、接触しないようにする役目を果たしている。また、袋状の形状も開口部が狭く、奥が広がっているため、取付板４は角の２箇所の鍵状の部分が、袋状の形状の奥の広がっている部分に一致するため、抜け防止の機能も有している。
【００２９】
以上のようにリアクトルに防振材を備えることで、リアクトルの振動が室外機の筐体に直接、伝播されないようになり、防振と防音性能を確保しつつ、室外機の筐体への取り付け作業性の簡素化が可能となる。
【実施例２】
【００３０】
本実施例では、防振材を備えたリアクトルの空気調和機への搭載例を示す。  
図５は防振材を備えたリアクトルの空気調和機への搭載した状態を室外機の送風機の吹きだし口の方向から見た図であり、一部、内部が透過して見られるようになっている。
【００３１】
１０がリアクトル、１１が仕切り板、１２が圧縮機、１３が室外電気品、１４が送風ファン、１５が室外機である。
【００３２】
この図を見れば判るようにリアクトル１０や室外電気品１３は水に濡れると故障に至るため、水の浸入を遮る仕切り板１１の送風ファン１４が搭載される反対で、圧縮機１２が搭載されるスペースに収められている。その中でリアクトル１０は圧縮機１２やサイクル配管などのない空きスペースである仕切り板１４に垂直に実装されていることがわかる。
【００３３】
次にリアクトル１０が取り付けられる仕切り板を、リアクタが取り付けられる面から見た図を図６に示す。リアクトル１０が取り付けられる面は重力方向の下側はＬ字の切欠きを押し出した形状となっており、袋状の防振材６がついた側の取付板４が挿入できる形状となっている。このＬ字の切欠きを押し出した形状でリアクトル１０の取付板４を当てて、位置決めを行い、リアクトル１０が取り付けられる面は重力方向の上側に配置した２つのバーリングタップ加工を施した穴に対して、円筒状の防振材５を配置した取付板４をあわせ、ねじ止めを行う。このような手順で作業を行えば空気調和機の量産作業性を良好に保ちつつ、リアクトル１０を室外機の筐体への取り付けることが可能となる。なお、実施例１の中で取付板４の角の２箇所に円状の穴の一部切欠きの向きについても、リアクトルを室外機の筐体への取り付けた際に、円筒状の防振材５が抜けにくい向きとしていると記載しているが、これは上述のようにリアクトルを垂直に取り付けた場合において、リアクトルの自重方向への動きに対して、円筒状の防振材５が外れない方向に、取付板４の角の２箇所に円状の穴の一部切欠きの向きをつけていることである。
【符号の説明】
【００３４】
１  珪素鋼板を積層したコア
２  銅やアルミ線材を巻いたコイル
３  配線接続用のタブ
４  取付板
５  円筒状の防振材
６  袋状の防振材
１０  リアクトル
１１  仕切り板
１２  圧縮機
１３  室外電気品
１４  送風ファン
１５  室外機
【図１】
2013088071.tif 000003
【図２】
2013088071.tif 000004
【図３】
2013088071.tif 000005
【図４】
2013088071.tif 000006
【図５】
2013088071.tif 000007
【図６】
2013088071.tif 000008
【図７】
2013088071.tif 000009
【図８】
2013088071.tif 000010
【図９】
2013088071.tif 000011